(57)【要約】      （修正有）【課題】テープロールから繰り出される帯状テープを編み糸として好適に使用することができるテープホルダを提供する。【解決手段】テープロール４から繰り出される帯状テープ３を編み糸として使用するためのテープホルダ１Ａであって、ホルダ本体６Ａと、ホルダ本体に設けられるとともに、テープロールを軸心回りに回転自在に支持する支持軸構造７Ａと、を備える。ホルダ本体には、テープロールから繰り出される帯状テープをしごくように通す絞り部８Ａが設けられている。【選択図】図１
0003229477.tif 000002
【実用新案登録請求の範囲】
【請求項１】
テープロールから繰り出される帯状テープを編み糸として使用するためのテープホルダであって、
ホルダ本体と、
前記ホルダ本体に設けられるとともに、前記テープロールを軸心回りに回転自在に支持する支持軸構造と、を備えることを特徴とするテープホルダ。
【請求項２】
前記ホルダ本体には、前記テープロールから繰り出される前記帯状テープをしごくように通す絞り部が設けられている請求項１に記載のテープホルダ。
【請求項３】
前記絞り部は、棒材を部分的に曲げて形成された環状部により構成されている請求項２に記載のテープホルダ。
【請求項４】
前記支持軸構造は、前記ホルダ本体の底板上に立ち上げられる支持軸と、前記支持軸に上端から順に通されて垂直軸回りに回転自在に支持される複数の支持部材と、を備え、
前記支持部材は、前記テープロールの芯筒の内周面を支持する内周支持部と、前記内周支持部の外側に延びて前記芯筒の下端面を支持する下端支持部と、を備える請求項１乃至３のいずれか一項に記載のテープホルダ。
【請求項５】
前記支持軸構造は、前記ホルダ本体の底板上に立ち上げられる第１支持部材と、前記第１支持部材上に着脱可能に且つ垂直軸回りに回転自在に支持される第２支持部材と、を備え、
前記第１支持部材は、前記テープロールの芯筒の内周を支持する内周支持部を備え、
前記第２支持部材は、前記テープロールの芯筒の内周を支持する内周支持部と、前記内周支持部の外側に延びて前記芯筒の下端を支持する下端支持部と、を備える請求項１乃至３のいずれか一項に記載のテープホルダ。
【請求項６】
前記支持軸構造は、前記ホルダ本体に着脱可能に設けられて複数の前記テープロールを水平軸回りに回転自在に支持する支持軸を備える請求項１乃至３のいずれか一項に記載のテープホルダ。
【請求項７】
前記帯状テープは、一対のテープ層が積層されて構成されており、
前記支持軸構造は、前記ホルダ本体に着脱可能に設けられて前記テープロールを水平軸回りに回転自在に支持する支持軸を備え、
前記ホルダ本体には、一対の巻取軸が着脱可能に且つ水平軸回りに回転自在に支持されており、
前記一対の巻取軸のそれぞれには、前記テープ層を巻き取る巻筒が保持されており、
前記一対の巻取軸の間には、該一対の巻取軸を同期して回転させる連動構造が設けられており、
前記一対の巻取軸のうちの一方の巻取軸には、該一方の巻取軸を回転させる操作部が設けられている請求項１に記載のテープホルダ。
【請求項８】
前記ホルダ本体には、前記巻筒に巻き取られた前記テープ層をしごくように通す絞り部が設けられている請求項７に記載のテープホルダ。
【請求項９】
前記一対の巻取軸のそれぞれは、前記巻筒を挟持するように軸方向に連結可能な一対の分割体により構成されている請求項７又は８に記載のテープホルダ。
【請求項１０】
前記連動構造は、前記一対の巻取軸の間に巻き回される無端状のベルトを備える請求項７乃至９のいずれか一項に記載のテープホルダ。
【考案の詳細な説明】
【技術分野】
【０００１】
本考案は、テープホルダに関し、更に詳しくは、テープロールから繰り出される帯状テープを編み糸として使用するためのテープホルダに関する。
【背景技術】
【０００２】
近年、荷造りなどで使われる帯状テープを編み糸として各種バッグや物入れ（例えば、ティッシュケース）等の編み物を作成することが流行している。この編み物は、床面やテーブル上に置かれたテープロールから繰り出される帯状テープをかぎ針で編み上げて作成される。なお、テープロールとしては、比較的安価で容易に入手できるスズランテープ（登録商標）が一般に知られている。
【０００３】
しかし、従来の編み物は、テープロールを床面やテーブル上に置いた状態で編み上げられるので、帯状テープを繰り出す際にテープロールが転がり易い。そのため、帯状テープが絡まり易く、また比較的広い作業空間が必要となる。この問題は、色の異なる複数のテープロールを用いた多色編みの際に顕著となる。
【０００４】
さらに、テープロールは、通常、多彩な色が用意されているが、テープ幅が一定（約５０ｍｍ）であることが多く、編み糸が比較的太くなる。
【０００５】
なお、特許文献１には、繰り出し方向に並べた２以上の養生接着テープを同時に繰り出し、端を一部重ねたテープを得られるようにしたテープホルダが記載されているが、帯状テープを編み糸として使用することは記載されていない。
【先行技術文献】
【特許文献】
【０００６】
【特許文献１】特開２０１９−１３７５５３号公報
【考案の概要】
【考案が解決しようとする課題】
【０００７】
本考案は、上記現状に鑑みてなされたものであり、テープロールから繰り出される帯状テープを編み糸として好適に使用することができるテープホルダを提供することを目的とする。
【課題を解決するための手段】
【０００８】
上記問題を解決するために、請求項１に記載の考案は、テープロールから繰り出される帯状テープを編み糸として使用するためのテープホルダであって、ホルダ本体と、前記ホルダ本体に設けられるとともに、前記テープロールを軸心回りに回転自在に支持する支持軸構造と、を備えることを要旨とする。
請求項２に記載の考案は、請求項１に記載の考案において、前記ホルダ本体には、前記テープロールから繰り出される前記帯状テープをしごくように通す絞り部が設けられていることを容易とする。
請求項３に記載の考案は、請求項２に記載の考案において、前記絞り部は、棒材を部分的に曲げて形成された環状部により構成されていることを要旨とする。
請求項４に記載の考案は、請求項１乃至３のいずれか一項に記載の考案において、前記支持軸構造は、前記ホルダ本体の底板上に立ち上げられる支持軸と、前記支持軸に上端から順に通されて垂直軸回りに回転自在に支持される複数の支持部材と、を備え、前記支持部材は、前記テープロールの芯筒の内周面を支持する内周支持部と、前記内周支持部の外側に延びて前記芯筒の下端面を支持する下端支持部と、を備えることを要旨とする。
請求項５に記載の考案は、請求項１乃至３のいずれか一項に記載の考案において、前記支持軸構造は、前記ホルダ本体の底板上に立ち上げられる第１支持部材と、前記第１支持部材上に着脱可能に且つ垂直軸回りに回転自在に支持される第２支持部材と、を備え、前記第１支持部材は、前記テープロールの芯筒の内周を支持する内周支持部を備え、前記第２支持部材は、前記テープロールの芯筒の内周を支持する内周支持部と、前記内周支持部の外側に延びて前記芯筒の下端を支持する下端支持部と、を備えることを要旨とする。
請求項６に記載の考案は、請求項１乃至３のいずれか一項に記載の考案において、前記支持軸構造は、前記ホルダ本体に着脱可能に設けられて複数の前記テープロールを水平軸回りに回転自在に支持する支持軸を備えることを要旨とする。
請求項７に記載の考案は、請求項１に記載の考案において、前記帯状テープは、一対のテープ層が積層されて構成されており、前記支持軸構造は、前記ホルダ本体に着脱可能に設けられて前記テープロールを水平軸回りに回転自在に支持する支持軸を備え、前記ホルダ本体には、一対の巻取軸が着脱可能に且つ水平軸回りに回転自在に支持されており、前記一対の巻取軸のそれぞれには、前記テープ層を巻き取る巻筒が保持されており、前記一対の巻取軸の間には、該一対の巻取軸を同期して回転させる連動構造が設けられており、前記一対の巻取軸のうちの一方の巻取軸には、該一方の巻取軸を回転させる操作部が設けられていることを要旨とする。
請求項８に記載の考案は、請求項７に記載の考案において、前記ホルダ本体には、前記巻筒に巻き取られた前記テープ層をしごくように通す絞り部が設けられていることを要旨とする。
請求項９に記載の考案は、請求項７又は８に記載の考案において、前記一対の巻取軸のそれぞれは、前記巻筒を挟持するように軸方向に連結可能な一対の分割体により構成されていることを要旨とする。
請求項１０に記載の考案は、請求項７乃至９のいずれか一項に記載の考案において、前記連動構造は、前記一対の巻取軸の間に巻き回される無端状のベルトを備えることを要旨とする。
【考案の効果】
【０００９】
本考案のテープホルダによると、ホルダ本体と、ホルダ本体に設けられるとともに、テープロールを軸心回りに回転自在に支持する支持軸構造と、を備える。これにより、編み物の編み上げ中に帯状テープを繰り出す際にテープロールが自由に転がることが防止される。そのため、帯状テープが絡まり難く、さらに作業空間の省スペース化を図ることができる。
【００１０】
また、前記ホルダ本体に、絞り部が設けられている場合は、テープロールから繰り出される帯状テープを絞り部に通すことで、しごかれた状態の帯状テープを編み糸として使用できる。
【００１１】
また、前記絞り部が、棒材を部分的に曲げて形成された環状部により構成されている場合は、帯状テープを絞り部に容易に通すことができるとともに、絞り部を容易に作成することができる。
【００１２】
また、前記支持軸構造が、支持軸と、前記支持軸に上端から順に通されて垂直軸回りに回転自在に支持される複数の支持部材と、を備え、前記支持部材が、内周支持部と、下端支持部と、を備える場合は、複数のテープロールを垂直軸回りに独立して回転自在に支持できる。
【００１３】
また、前記支持軸構造が、第１支持部材と、前記第１支持部材上に着脱可能に且つ垂直軸回りに回転自在に支持される第２支持部材と、を備え、前記第１支持部材が、内周支持部を備え、前記第２支持部材が、内周支持部と、下端支持部と、を備える場合は、複数のテープロールを垂直軸回りに独立して回転自在に支持できる。
【００１４】
また、前記支持軸構造が、前記ホルダ本体に着脱可能に設けられて複数の前記テープロールを水平軸回りに回転自在に支持する支持軸を備える場合は、複数のテープロールを水平軸回りに独立して回転自在に支持できる。
【００１５】
また、前記帯状テープが、一対のテープ層が積層されて構成されており、前記支持軸構造が、前記ホルダ本体に着脱可能に設けられて前記テープロールを水平軸回りに回転自在に支持する支持軸を備え、前記ホルダ本体に、一対の巻取軸が着脱可能に且つ水平軸回りに回転自在に支持されており、前記一対の巻取軸のそれぞれに、巻筒が保持されており、前記一対の巻取軸の間に、連動構造が設けられており、一方の巻取軸に、操作部が設けられている場合は、操作部の操作により連動構造で一対の巻取軸を同期して回転させることで、テープロールから繰り出される帯状テープの一対のテープ層のそれぞれが巻筒に巻き取られる。この巻筒に巻き取られたテープ層を比較的細い編み糸として使用できる。
【００１６】
また、前記ホルダ本体に、絞り部が設けられている場合は、巻筒に巻き取られたテープ層を絞り部に通すことで、しごかれた状態のテープ層を比較的細い編み糸として使用できる。
【００１７】
また、前記一対の巻取軸のそれぞれが、一対の分割体により構成されている場合は、一対の分割体の連結解除により巻筒を容易に着脱できる。
【００１８】
さらに、前記連動構造が、前記一対の巻取軸の間に巻き回される無端状のベルトを備える場合は、簡易な構造の連動構造を提供できる。
【図面の簡単な説明】
【００１９】
本考案について、本考案による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例１に係るテープホルダの斜視図である。
【図２】上記テープホルダの一部を断面とした側面図である。
【図３】上記テープホルダの支持軸構造を構成する支持部材の斜視図である。
【図４】上記テープホルダの作用説明図であり、（ａ）は支持軸に支持部材（テープロール）をセットする状態を示し、（ｂ）は絞り部に帯状テープを通した状態を示す。
【図５】上記テープホルダの作用説明図である。
【図６】実施例２に係るテープホルダの斜視図である。
【図７】上記テープホルダの一部を断面とした側面図である。
【図８】上記テープホルダの支持軸構造を構成する第２支持部材の斜視図である。
【図９】上記テープホルダの作用説明図であり、（ａ）は第１支持部材にテープロールをセットする状態を示し、（ｂ）は第１支持部材上に第２支持部材（テープロール）をセットする状態を示す。
【図１０】実施例３に係るテープホルダの斜視図である。
【図１１】上記テープホルダの側面図である。
【図１２】上記テープホルダの作用説明図であり、（ａ）は支持軸にテープロールをセットする状態を示し、（ｂ）はホルダ本体に支持軸（テープロール）をセットする状態を示す。
【図１３】実施例４に係るテープホルダの斜視図である。
【図１４】上記テープホルダの一部を断面とした平面図である。
【図１５】上記テープホルダの一部を破断した側面図である。
【図１６】上記テープホルダの巻取軸の分解斜視図である。
【図１７】帯状テープの縦断面図である。
【図１８】上記テープホルダの作用説明図であり、（ａ）は巻筒にテープ層が巻き取られる状態を示し、（ｂ）は巻筒にテープ層が巻き取られた状態を示し、（ｃ）は巻筒に巻き取られたテープ層を編み糸として使用する状態を示す。
【考案を実施するための形態】
【００２０】
ここで示される事項は例示的なものおよび本考案の実施形態を例示的に説明するためのものであり、本考案の原理と概念的な特徴とを最も有効に且つ難なく理解できる説明であると思われるものを提供する目的で述べたものである。この点で、本考案の根本的な理解のために必要である程度以上に本考案の構造的な詳細を示すことを意図してはおらず、図面と合わせた説明によって本考案の幾つかの形態が実際にどのように具現化されるかを当業者に明らかにするものである。
【００２１】
本実施形態に係るテープホルダは、例えば、図１及び図２等に示すように、テープロール（４）から繰り出される帯状テープ（３）を編み糸として使用するためのテープホルダ（１Ａ〜１Ｄ）であって、ホルダ本体（６Ａ〜６Ｄ）と、ホルダ本体（６Ａ〜６Ｄ）に設けられるとともに、テープロール（４）を軸心回りに回転自在に支持する支持軸構造（７Ａ〜７Ｄ）と、を備える。
【００２２】
ホルダ本体（６Ａ〜６Ｄ）の構造、材質等は特に問わない。ホルダ本体（６Ａ〜６Ｃ）には、例えば、図１等に示すように、テープロール（４）から繰り出される帯状テープ（３）をしごくように通す絞り部（８Ａ〜８Ｃ）が設けられていることができる。この絞り部（８Ａ）は、例えば、棒材（１４）を部分的に曲げて形成された環状部（１５）により構成されていることができる。
【００２３】
支持軸構造（７Ａ〜７Ｄ）の支持形態（例えば、テープロールの支持個数、姿勢など）等は特に問わない。この支持軸構造としては、例えば、以下の第１〜第３の支持軸構造（７Ａ〜７Ｃ）が挙げられる。
【００２４】
第１の支持軸構造（７Ａ）は、例えば、図２等に示すように、ホルダ本体（６Ａ）の底板（１１）上に立ち上げられる支持軸（１６）と、支持軸（１６）に上端から順に通されて垂直軸回りに回転自在に支持される複数の支持部材（１７）と、を備え、支持部材（１７）は、テープロール（４）の芯筒（２）の内周面を支持する内周支持部（１７ａ）と、内周支持部（１７ａ）の外側に延びて芯筒（２）の下端面を支持する下端支持部（１７ｂ）と、を備えることができる。
なお、内周支持部（１７ａ）及び外周支持部（１７ｂ）の構造、形状等は、その機能を発揮し得る限り特に問わない。
【００２５】
第２の支持軸構造（７Ｂ）は、例えば、図７等に示すように、ホルダ本体（６Ｂ）の底板（１１）上に立ち上げられる第１支持部材（２１）と、第１支持部材（２１）上に着脱可能に且つ垂直軸回りに回転自在に支持される第２支持部材（２２）と、を備え、第１支持部材（２１）は、テープロール（４）の芯筒（２）の内周を支持する内周支持部（２１ａ）を備え、第２支持部材（２２）は、テープロール（４）の芯筒（２）の内周を支持する内周支持部（２２ａ）と、内周支持部（２２ａ）の外側に延びて芯筒（２）の下端を支持する下端支持部（２２ｂ）と、を備えることができる。
なお、内周支持部（２１ａ、２２ａ）及び外周支持部（２２ｂ）の構造、形状等は、その機能を発揮し得る限り特に問わない。
【００２６】
第３の支持軸構造（７Ｃ）は、例えば、図１２等に示すように、ホルダ本体（６Ｃ）に着脱可能に設けられて複数のテープロール（４）を水平軸回りに回転自在に支持する支持軸（３４）を備えることができる。
【００２７】
本実施形態に係るテープホルダ（１Ｄ）としては、例えば、図１３〜図１５等に示すように、帯状テープ（３）は、一対のテープ層（３ａ）が積層されて構成されており、支持軸構造（７Ｄ）は、ホルダ本体（６Ｄ）に着脱可能に設けられてテープロール（４）を水平軸回りに回転自在に支持する支持軸（４４）を備え、ホルダ本体（６Ｄ）には、一対の巻取軸（４７）が着脱可能に且つ水平軸回りに回転自在に支持されており、一対の巻取軸（４７）のそれぞれには、テープ層（３ａ）を巻き取る巻筒（４５）が保持されており、一対の巻取軸（４７）の間には、該一対の巻取軸（４７）を同期して回転させる連動構造（５１）が設けられており、一対の巻取軸（４７）のうちの一方の巻取軸には、該一方の巻取軸を回転させる操作部（５３）が設けられている形態が挙げられる。
【００２８】
上述の形態では、例えば、図１３及び図１８（ｃ）等に示すように、ホルダ本体（６Ｄ）には、巻筒（４５）に巻き取られたテープ層（３ａ）をしごくように通す絞り部（８Ｄ）が設けられていることができる。
【００２９】
上述の形態では、例えば、図１６等に示すように、一対の巻取軸（４７）のそれぞれは、巻筒（４５）を挟持するように軸方向に連結可能な一対の分割体（５５ａ、５５ｂ）により構成されていることができる。
【００３０】
上述の形態では、例えば、図１５等に示すように、連動構造（５１）は、一対の巻取軸（４７）の間に巻き回される無端状のベルト（５２）を備えることができる。
【００３１】
なお、上記実施形態で記載した各構成の括弧内の符号は、後述する実施例に記載の具体的構成との対応関係を示すものである。
【実施例】
【００３２】
以下、図面を用いて実施例により本考案を具体的に説明する。
なお、本実施例では、本発明に係る「テープロール」として、芯筒２に帯状テープ３を巻き回して構成されるテープロール４（具体的に、スズランテープ（登録商標））を例示する（図１参照）。この帯状テープ３は、ポリエチレン、ポリプロピレン等の合成樹脂（合成繊維）により形成されている。また、帯状テープ３は、テープ幅が約５０ｍｍである。さらに、帯状テープ３は、一対のテープ層３ａが積層されて構成されている（図１７参照）。
【００３３】
＜実施例１＞
本実施例に係るテープホルダ１Ａは、図１及び図２に示すように、テープロール４から繰り出される帯状テープ３を編み糸として使用するためのものである。このテープホルダ１Ａは、ホルダ本体６Ａと、ホルダ本体６Ａに設けられるとともに、テープロール４を軸心回りに回転自在に支持する支持軸構造７Ａと、を備えている。
【００３４】
ホルダ本体６Ａは、底板１１を備えている。この底板１１の裏面には、ゴム製の滑り止め１２が設けられている。また、ホルダ本体６Ａには、テープロール４から繰り出される帯状テープ３をしごくように通す絞り部８Ａが設けられている。この絞り部８Ａは、棒材１４を部分的に曲げて形成された環状部１５により構成されている（図４（ｂ）参照）。
【００３５】
支持軸構造７Ａは、図２に示すように、ホルダ本体６Ａの底板１１上に立ち上げられる支持軸１６と、支持軸１６に上端から順に通されて垂直軸回りに回転自在に支持される複数（図中３つ）の支持部材１７と、を備えている。
【００３６】
支持部材１７は、図３に示すように、テープロール４の芯筒２の内周面を支持する内周支持部１７ａと、内周支持部１７ａの外側に延びて芯筒２の下端面を支持する下端支持部１７ｂと、を備えている。この内周支持部１７ａは、４枚のＬ字状の板材１８を組み付けて構成されている。さらに、外周支持部１７ｂは、内周支持部１７ａの下端に取り付けられた円板１９により構成されている。
【００３７】
次に、上記構成のテープホルダ１Ａの作用及び効果について説明する。先ず、テープロール４を支持部材１７で支持したものを複数用意する（図３参照）。次に、図４（ａ）に示すように、支持部材１７を支持軸１６に上端から順に通し、複数のテープロール４を垂直軸回りに回転自在に支持する（図２参照）。次いで、図４（ｂ）に示すように、複数のテープロール４から繰り出される帯状テープ３を絞り部８Ａに差し通す。この状態より、図５に示すように、複数のテープロール４から繰り出されて絞り部８Ａでしごかれた状態の帯状テープ３を編み糸として編み物Ｋを編み上げる。
【００３８】
なお、テープロール４が空となった場合には、支持軸１６から支持部材１７を取り外すことで新たなテープロール４と容易に交換できる。
【００３９】
本実施例のテープホルダ１Ａによると、ホルダ本体６Ａと、ホルダ本体６Ａに設けられるとともに、テープロール４を軸心回りに回転自在に支持する支持軸構造７Ａと、を備える。これにより、編み物Ｋの編み上げ中に帯状テープ３を繰り出す際にテープロール４が自由に転がることが防止される。そのため、帯状テープ３が絡まり難く、さらに作業空間の省スペース化を図ることができる。
【００４０】
また、本実施例では、ホルダ本体６Ａには、絞り部８Ａが設けられている。これにより、テープロール４から繰り出される帯状テープ３を絞り部８Ａに通すことで、しごかれた状態の帯状テープ３を編み糸として使用できる。
【００４１】
また、本実施例では、絞り部８Ａは、棒材１４を部分的に曲げて形成された環状部１５により構成されている。これにより、帯状テープ３を絞り部８Ａに容易に通すことができるとともに、絞り部８Ａを容易に作成することができる。
【００４２】
さらに、本実施例では、支持軸構造７Ａは、支持軸１６と、支持軸１６に上端から順に通されて垂直軸回りに回転自在に支持される複数の支持部材１７と、を備え、支持部材１７は、内周支持部１７ａと、下端支持部１７ｂと、を備える。これにより、複数のテープロール４を垂直軸回りに独立して回転自在に支持できる。
【００４３】
＜実施例２＞
次に、実施例２に係るテープホルダ１Ｂについて説明するが、実施例１のテープホルダ１Ａと略同じ構成部位には同符号を付けて詳説を省略する。
【００４４】
本実施例に係るテープホルダ１Ｂは、図６及び図７に示すように、テープロール４から繰り出される帯状テープ３を編み糸として使用するためのものである。このテープホルダ１Ｂは、ホルダ本体６Ｂと、ホルダ本体６Ｂに設けられるとともに、テープロール４を軸心回りに回転自在に支持する支持軸構造７Ｂと、を備えている。
【００４５】
ホルダ本体６Ｂには、テープロール４から繰り出される帯状テープ３をしごくように通す絞り部８Ｂが設けられている。この絞り部８Ｂは、円管２０により構成されている。
【００４６】
支持軸構造７Ｂは、図７に示すように、ホルダ本体６Ｂの底板１１上に立ち上げられる第１支持部材２１と、第１支持部材２１上に着脱可能に且つ垂直軸回りに回転自在に支持される第２支持部材２２と、を備えている。
【００４７】
第１支持部材２１は、テープロール４の芯筒２の内周面を支持する内周支持部２１ａを備えている。この第１支持部材２１は、底面１１上に取り付けられる筒体２３と、筒体２３の上部開口を塞ぐ円板２４と、を備えている。この筒体２３の外周面により内周支持部２１ａが構成されている。円板２４の中央部には、後述の支持棒２７が挿通される挿通孔２４ａが形成されている。
【００４８】
第２支持部材２２は、テープロール４の芯筒２の内周面を支持する内周支持部２２ａと、内周支持部２２ａの外側に延びて芯筒２の下端面を支持する下端支持部２２ｂと、を備えている。この第２支持部材２２は、筒体２５と、筒体２５の下部開口を塞ぐ円板２６と、円板２６の中央部から下方に延びる支持棒２７と、を備えている。この筒体２５の外周面により内周支持部２２ａが構成されており、円板２６の上面外周側により下端支持部２２ｂが構成されている。さらに、支持棒２７が挿通孔２４ａに挿通されることで、第２支持部材２２が第１支持部材２１上に垂直軸回りに回転自在に支持される。
【００４９】
次に、上記構成のテープホルダ１Ｂの作用及び効果について説明する。先ず、図９（ａ）に示すように、第１支持部材２１にテープロール４の芯筒２を通す。次に、図９（ｂ）に示すように、テープロール４を支持した第２支持部材２２を第１支持部材２１上に支持する。次いで、２つのテープロール４から繰り出される帯状テープ３を絞り部８Ｂに差し通す。この状態より、２つのテープロール４から繰り出されて絞り部８Ｂでしごかれた状態の帯状テープ３を編み糸として編み物を編み上げる。
【００５０】
なお、テープロール４が空となった場合には、第１支持部材２１から第２支持部材２２を取り外すことで新たなテープロール４と容易に交換できる。
【００５１】
本実施例のテープホルダ１Ｂによると、実施例１のテープホルダ１Ａと略同様に作用効果を奏するとともに、支持軸構造７Ｂは、第１支持部材２１と、第１支持部材２１上に着脱可能に且つ垂直軸回りに回転自在に支持される第２支持部材２２と、を備え、第１支持部材２１は、内周支持部２１ａを備え、第２支持部材２２は、内周支持部２２ａと、下端支持部２２ｂと、を備えるので、複数のテープロール４を垂直軸回りに独立して回転自在に支持できる。
【００５２】
＜実施例３＞
次に、実施例３に係るテープホルダ１Ｃについて説明するが、実施例１のテープホルダ１Ａと略同じ構成部位には同符号を付けて詳説を省略する。
【００５３】
本実施例に係るテープホルダ１Ｃは、図１０及び図１１に示すように、テープロール４から繰り出される帯状テープ３を編み糸として使用するためのものである。このテープホルダ１Ｃは、ホルダ本体６Ｃと、ホルダ本体６Ｃに設けられるとともに、テープロール４を軸心回りに回転自在に支持する支持軸構造７Ｃと、を備えている。
【００５４】
ホルダ本体６Ｃは、底板３１と、底板３１上に立ち上げられる左右の側板３２及び前板３３と、を備えている。これら底板３１、側板３２及び前板３３は、予め組み付けられていてもよいが、重ねられた状態で保管・輸送等され、テープホルダ１Ｃの使用者がそれらを組み付けるようにしてもよい。
【００５５】
ホルダ本体６Ｃには、テープロール４から繰り出される帯状テープ３をしごくように通す絞り部８Ｃが設けられている。この絞り部８Ｃは、前板３３に形成された貫通孔３３ａにより構成されている。さらに、ホルダ本体６Ｃ（具体的に、左右の側板３２）には、後述の支持軸３４を支持するための切欠き３２ａが形成されている。
【００５６】
支持軸構造７Ｃは、図１２に示すように、ホルダ本体６Ｃ（具体的に、左右の側板３２）に着脱可能に設けられて複数（図中３つ）のテープロール４を水平軸回りに回転自在に支持する支持軸３４を備えている。
【００５７】
次に、上記構成のテープホルダ１Ｃの作用及び効果について説明する。先ず、図１２（ａ）に示すように、テープロール４の芯筒２に支持軸３４を挿通する。次に、図１２（ｂ）に示すように、複数のテープロール４を支持した支持軸３４をホルダ本体６Ｃに支持する。次いで、複数のテープロール４から繰り出される帯状テープ３を絞り部８Ｃに差し通す。この状態より、複数のテープロール４から繰り出されて絞り部８Ｃでしごかれた状態の帯状テープ３を編み糸として編み物を編み上げる。
【００５８】
なお、テープロール４が空となった場合には、ホルダ本体６Ｃから支持軸３４を取り外すことで新たなテープロール４と容易に交換できる。
【００５９】
本実施例のテープホルダ１Ｃによると、実施例１のテープホルダ１Ａと略同様に作用効果を奏するとともに、支持軸構造７Ｃは、ホルダ本体６Ｃに着脱可能に設けられて複数のテープロール４を水平軸回りに回転自在に支持する支持軸３４を備えるので、複数のテープロール４を水平軸回りに独立して回転自在に支持できる。
【００６０】
＜実施例４＞
次に、実施例４に係るテープホルダ１Ｄについて説明するが、実施例１のテープホルダ１Ａと略同じ構成部位には同符号を付けて詳説を省略する。
【００６１】
本実施例に係るテープホルダ１Ｄは、図１３〜図１５に示すように、テープロール４から繰り出される帯状テープ３（具体的に、テープ層３ａ）を編み糸として使用するためのものである。このテープホルダ１Ｄは、ホルダ本体６Ｄと、ホルダ本体６Ｄに設けられるとともに、テープロール４を軸心回りに回転自在に支持する支持軸構造７Ｄと、を備えている。
【００６２】
ホルダ本体６Ｄは、底板と４１、底板４１上に立ち上げられる左右の側板４２及び前板４３と、を備えている。これら底板４１、側板４２及び前板４３は、予め組み付けられていてもよいが、重ねられた状態で保管・輸送等され、テープホルダ１Ｄの使用者がそれらを組み付けるようにしてもよい。
【００６３】
支持軸構造７Ｄは、ホルダ本体６Ｄに着脱可能に設けられてテープロール４を水平軸回りに回転自在に支持する支持軸４４を備えている。この支持軸４４は、ホルダ本体６Ｄ（具体的に、左右の側板４２）に形成された切欠き４２ａに支持される。
【００６４】
ホルダ本体６Ｄには、一対の巻取軸４７が着脱可能に且つ水平軸回りに回転自在に支持されている。具体的に、ホルダ本体６Ｄ（具体的に、左右の側板４２）には、巻取軸４７を支持するためのＬ字状の切欠き４２ｂが形成されている。
【００６５】
一対の巻取軸４７のそれぞれには、テープ層３ａを巻き取る巻筒４５が保持されている。これら各巻取軸４７は、図１６に示すように、巻筒４５を挟持するようにネジ止めにより軸方向に連結可能な一対の分割体５５ａ、５５ｂにより構成されている。これら一対の分割体５５ａ、５５ｂのそれぞれは、巻筒４５を挟持するつば５６を有している。このつば５６は、巻筒４５に巻き取られたテープ層３ａの側面を覆い得る大きさに形成されている。
【００６６】
一対の巻取軸４７の間には、図１４及び図１５に示すように、該一対の巻取軸４７を同期して回転させる連動構造５１が設けられている。この連動構造５１は、一対の巻取軸４７の間に巻き回される無端状のベルト５２を備えている。また、一方の巻取軸４７には、該巻取軸４７を回転させる操作部５３が設けられている。
【００６７】
ホルダ本体６Ｄには、図１３に示すように、巻筒４５に巻き取られたテープ層３ａをしごくように通す絞り部８Ｄが設けられている。この絞り部８Ｄは、前板４３に形成された貫通孔４３ａにより構成されている。
【００６８】
次に、上記構成のテープホルダ１Ｄの作用及び効果について説明する。先ず、ホルダ本体６Ｄに満のテープロール４及び空の巻筒４５をセットし、一対の巻取軸４７の間にベルト５２を巻き回す。次に、テープロール４から繰り出される帯状テープ３の先端部を指先等でしごいて一対のテープ層３ａに分け（図１７参照）、各テープ層３ａの先端を巻筒４５に接着テープ等で取り付ける。次いで、操作部５３の操作によりベルト５２を所定方向に周回させることで、図１８（ａ）に示すように、テープロール４から繰り出される帯状テープ３の各テープ層３ａが巻筒４５に巻き取られる。
【００６９】
その後、テープロール４が空となったら、図１８（ｂ）に示すように、ベルト５２を外してホルダ本体６Ｄから巻取軸４７を取り外す。そして、一対の分割体５５ａ、５５ｂのネジ止めを解除して巻筒４５を取り出して実施例１〜３のテープホルダ１Ａ〜１Ｃにセットすることで、巻筒４５に巻き取られたテープ層３ａを比較的細い編み糸として編み物を編み上げる。
【００７０】
あるいは、図１８（ｃ）に示すように、巻筒４５に巻き取られたテープ層３ａを絞り部８Ｄに差し通すことで、巻筒４５から繰り出されて絞り部８Ｄでしごかれた状態のテープ層３ａを比較的細い編み糸として編み物を編み上げる。
【００７１】
本実施例のテープホルダ１Ｄによると、実施例１のテープホルダ１Ａと略同様に作用効果を奏するとともに、支持軸構造７Ｄは、ホルダ本体６Ｄに着脱可能に設けられてテープロール４を水平軸回りに回転自在に支持する支持軸４４を備え、ホルダ本体６Ｄには、一対の巻取軸４７が着脱可能に且つ水平軸回りに回転自在に支持されており、一対の巻取軸４７のそれぞれには、巻筒４５が保持されており、一対の巻取軸４７の間には、連動構造５１が設けられており、一方の巻取軸４７には、操作部５３が設けられているので、操作部５３の操作により連動構造５１で一対の巻取軸４７を同期して回転させることで、テープロール４から繰り出される帯状テープ３の一対のテープ層３ａのそれぞれが巻筒４５に巻き取られる。この巻筒４５に巻き取られたテープ層３ａを比較的細い編み糸として使用できる。
【００７２】
また、本実施例では、ホルダ本体６Ｄには、絞り部８Ｄが設けられている。これにより、巻筒４５に巻き取られたテープ層３ａを絞り部８Ｄに通すことで、しごかれた状態のテープ層３ａを比較的細い編み糸として使用できる。
【００７３】
また、本実施例では、一対の巻取軸４７のそれぞれは、一対の分割体５５ａ、５５ｂにより構成されている。これにより、一対の分割体５５ａ、５５ｂの連結解除により巻筒４５を容易に着脱できる。
【００７４】
さらに、本実施例では、連動構造５１は、一対の巻取軸４７の間に巻き回される無端状のベルト５２を備える。これにより、簡易な構造の連動構造５１を提供できる。
【００７５】
尚、本考案においては、上記実施例に限られず、目的、用途に基づいて本考案の範囲内で種々変更した実施例とすることができる。即ち、上記実施例１〜３では、帯状テープ３を繰り出す際に複数のテープロール４が同じ方向に回転する形態を例示したが、これに限定されず、例えば、帯状テープ３を繰り出す際に異なる方向に回転するテープロール４の組み合わせが存在していてもよい。
【００７６】
また、上記実施例１、３では、３つのテープロール４を支持可能なテープホルダ１Ａ、１Ｃを例示したが、これに限定されず、例えば、２つ又は４つ以上のテープロール４を支持可能なテープホルダ１Ａ、１Ｃとしてもよい。
【００７７】
また、上記実施例２では、２つのテープロール４を支持可能なテープホルダ１Ｂを例示したが、これに限定されず、例えば、３つ以上のテープロール４を支持可能なテープホルダ１Ｂとしてもよい。
【００７８】
さらに、上記実施例４では、連動構造５１として無端状のベルト５２を例示したが、これに限定されず、例えば、連動構造５１としてギヤ機構を採用してもよい。
【００７９】
さらに、上記実施例４のテープホルダ１Ｄを複数並べて使用して多色編みを行うようにしてもよい。
【００８０】
本考案は上記で詳述した実施形態に限定されず、本考案の請求項に示した範囲で様々な変形または変更が可能である。
【産業上の利用可能性】
【００８１】
本考案は、帯状テープを編み糸として使用するための技術として広く利用される。
【符号の説明】
【００８２】
１Ａ〜１Ｄ；テープホルダ、２；芯筒、３；帯状テープ、３ａ；テープ層、４；テープロール、６Ａ〜６Ｄ；ホルダ本体、７Ａ〜７Ｄ；支持軸構造、８Ａ〜８Ｄ；絞り部、１１；底板、１４；棒材、１５；環状部、１６；支持軸、１７；支持部材、１７ａ；内周支持部、１７ｂ；下端支持部、２１；第１支持部材、２１ａ；内周支持部、２２；第２支持部材、２２ａ；内周支持部、２２ｂ；下端支持部、３４，４４；支持軸、４５；巻筒、４７；巻取軸；５１；連動構造、５２；ベルト、５３；操作部、５５ａ，５５ｂ；分割体。
【図１】
0003229477.tif 000003
【図２】
0003229477.tif 000004
【図３】
0003229477.tif 000005
【図４】
0003229477.tif 000006
【図５】
0003229477.tif 000007
【図６】
0003229477.tif 000008
【図７】
0003229477.tif 000009
【図８】
0003229477.tif 000010
【図９】
0003229477.tif 000011
【図１０】
0003229477.tif 000012
【図１１】
0003229477.tif 000013
【図１２】
0003229477.tif 000014
【図１３】
0003229477.tif 000015
【図１４】
0003229477.tif 000016
【図１５】
0003229477.tif 000017
【図１６】
0003229477.tif 000018
【図１７】
0003229477.tif 000019
【図１８】
0003229477.tif 000020